(57)【要約】      （修正有）【課題】ヒートポンプを熱源として利用する暖房装置において、ヒートポンプを構成する部品の劣化を抑制する技術を提供する。【解決手段】暖房装置１０は、ヒートポンプ２０が最小加熱能力より高い加熱能力で運転しているときは、第１サーミスタ８９の検出値が暖房設定温度になるように暖房端末９０に送られる熱媒の温度を制御する。また、ヒートポンプ２０が最小加熱能力で運転しているときは、第１サーミスタ８９の検出値が暖房設定温度に第１所定温度を加えた暖房補正温度になるように暖房端末９０に送られる熱媒の温度を制御する。そして、第３サーミスタ６２で検出される温度が、第１サーミスタ８９で検出された温度が暖房設定温度に達したときに第３サーミスタ６２で検出された温度に第２所定温度を加えた温度に達したときに、ヒートポンプ２０の運転を停止する。【選択図】図１
2016114294.tif 000002
【特許請求の範囲】
【請求項１】
熱媒を加熱するヒートポンプと、
熱媒を放熱させて暖房を行う暖房端末と、
ヒートポンプと暖房端末の間に配置されており、ヒートポンプとの間で熱媒を循環させるとともに、暖房端末との間で熱媒を循環させる暖房熱媒混合装置と、
暖房端末に送られる熱媒の温度を検出する第１サーミスタと、
ヒートポンプに送られる熱媒の温度を検出する第２サーミスタと、
暖房端末から排出される熱媒の温度を検出する第３サーミスタと、
暖房端末に送られる熱媒の温度を制御するコントローラと、を備えており、
コントローラは、
ヒートポンプが最小加熱能力より高い加熱能力で運転しているときは、第１サーミスタの検出値が暖房設定温度になるように暖房端末に送られる熱媒の温度を制御し、第２サーミスタで検出された温度が所定値に達したときにヒートポンプの運転を停止し、
ヒートポンプが最小加熱能力で運転しているときは、第１サーミスタの検出値が暖房設定温度に第１所定温度を加えた暖房補正温度になるように暖房端末に送られる熱媒の温度を制御し、第３サーミスタで検出される温度が第１サーミスタで検出された温度が暖房設定温度に達したときに第３サーミスタで検出された温度に第２所定温度を加えた温度に達したときにヒートポンプの運転を停止する暖房装置。
【請求項２】
コントローラは、ヒートポンプの運転を停止した後、第１サーミスタで検出された温度が暖房設定温度から第３所定温度を減じた温度に達したときにヒートポンプを再始動する請求項１に記載の暖房装置。
【請求項３】
コントローラは、ヒートポンプを再始動するに先立って、所定期間におけるヒートポンプの始動回数が所定回数に達しているか否かを判定し、所定期間におけるヒートポンプの始動回数が所定回数に達している場合はヒートポンプの再始動を禁止する請求項２に記載の暖房装置。
【発明の詳細な説明】
【技術分野】
【０００１】
本明細書は、暖房装置に関する技術を開示する。
【背景技術】
【０００２】
特許文献１に、暖房装置が開示されている。この暖房装置は、ヒートポンプと、熱媒を放熱させて暖房を行う暖房端末を備えている。この暖房装置では、ヒートポンプの発停（ヒートポンプの始動と停止）の回数を抑制するために、所定期間におけるヒートポンプの始動回数に制限を設けている。ヒートポンプの始動回数に制限することにより、ヒートポンプを構成する部品が劣化することを抑制している。
【先行技術文献】
【特許文献】
【０００３】
【特許文献１】特開２０１３−１４５０７６号公報
【発明の概要】
【発明が解決しようとする課題】
【０００４】
特許文献１の暖房装置は、ヒートポンプの始動回数が所定回数に達した後に熱媒を加熱する場合、可燃性ガスを燃焼するバーナを用いて熱媒を加熱する。すなわち、ヒートポンプの始動回数が所定回数に達した後は、可燃性ガスを利用して暖房装置を駆動する。可燃性ガスを利用して熱媒を加熱すると、暖房装置のランニングコストが高くなる。本明細書は、上記の課題を解決する技術を提供する。本明細書では、ヒートポンプが停止することを抑制することにより、ヒートポンプが再始動する回数を少なくし、ヒートポンプを構成する部品の劣化を抑制する技術を提供する。
【課題を解決するための手段】
【０００５】
本明細書が開示する暖房装置は、ヒートポンプと、暖房端末と、暖房熱媒混合装置と、第１サーミスタと、第２サーミスタと、第３サーミスタと、コントローラを備えている。ヒートポンプは、熱媒を加熱する。暖房端末は、熱媒を放熱させて暖房を行う。暖房熱媒混合装置は、ヒートポンプと暖房端末の間に配置されている。また、暖房熱媒混合装置は、ヒートポンプとの間で熱媒を循環させるとともに、暖房端末との間で熱媒を循環させる。第１サーミスタは、暖房端末に送られる熱媒の温度を検出する。第２サーミスタは、ヒートポンプに送られる熱媒の温度を検出する。第３サーミスタは、暖房端末から排出される熱媒の温度を検出する。コントローラは、暖房端末に送られる熱媒の温度を制御する。本明細書が開示する暖房装置では、コントローラは、ヒートポンプが最小加熱能力より高い加熱能力で運転しているときは、第１サーミスタの検出値が暖房設定温度になるように暖房端末に送られる熱媒の温度を制御し、第２サーミスタで検出された温度が所定値に達したときにヒートポンプの運転を停止する。また、コントローラは、ヒートポンプが最小加熱能力で運転しているときは、第１サーミスタの検出値が暖房設定温度に第１所定温度を加えた暖房補正温度になるように暖房端末に送られる熱媒の温度を制御し、第３サーミスタで検出される温度が第１サーミスタで検出された温度が暖房設定温度に達したときに第３サーミスタで検出された温度に第２所定温度を加えた温度に達したときにヒートポンプの運転を停止する。
【０００６】
上記の暖房装置では、ヒートポンプが最小加熱能力で運転しているときのヒートポンプの発停条件と、ヒートポンプが最小加熱能力より高い加熱能力で運転しているときのヒートポンプの発停条件が異なる。上記の暖房装置では、ヒートポンプが最小能力で運転しているときは、暖房端末に送られる熱媒の暖房設定温度そのものを高くする。すなわち、暖房端末に送られる熱媒の温度（第１サーミスタの検出値）が暖房設定温度より第１所定値高い暖房補正温度になるように制御する。このような制御を行うことにより、暖房熱媒混合装置の蓄熱量をより多く消費することができる。暖房熱媒混合装置内の熱媒の温度が上昇する速度を遅くすることができ、ヒートポンプが停止するタイミングが遅くなる。その結果、ヒートポンプの発停回数が少なくなり、ヒートポンプを構成する部品の劣化を抑制することができる。
【０００７】
なお、熱媒を放熱させて暖房を行う暖房端末の場合、間接的な加熱のため、熱媒の温度変化は、即座に暖房対象空間（例えば、住居の室内）の温度を変化させない。そのため、熱媒の温度は常に暖房設定温度と一致していなくても、所定時間の間に平均して暖房設定温度を満足していれば暖房対象空間の温度をほぼ一定に保つことができる。上記の暖房装置では、第１サーミスタで検出された温度が暖房設定温度に達したときに、暖房端末から排出される熱媒の温度（第３サーミスタの検出値）を検出する。そして、そのときの検出値に対して、第３サーミスタの検出値が第１所定温度高くなったときにヒートポンプの運転を停止する。そのため、暖房対象空間の温度が極度に高くなることが抑制されている。
【図面の簡単な説明】
【０００８】
【図１】第１実施例の暖房システム１０の構成を模式的に示す図である。
【図２】暖房端末９０の要求する熱媒の温度に対して、混水器３０から暖房用往路５６に送られる熱媒の温度が高い場合の熱媒の流れを示す図である。
【図３】暖房端末９０の要求する熱媒の温度に対して、混水器３０から暖房用往路５６に送られる熱媒の温度が低い場合の熱媒の流れを示す図である。
【図４】ヒートポンプユニット２０の始動を許可するか禁止するかを判断する処理のフローチャートである。
【発明を実施するための形態】
【０００９】
以下、本明細書で開示する暖房装置の技術的特徴の幾つかを記す。なお、以下に記す事項は、各々単独で技術的な有用性を有している。
【００１０】
暖房装置は、ヒートポンプと、暖房端末と、暖房熱媒混合装置と、第１サーミスタと、第２サーミスタと、第３サーミスタと、コントローラを備えている。ヒートポンプは、大気から吸熱して熱媒を加熱してよい。暖房端末は、熱媒を放熱させて暖房を行ってよい。暖房熱媒混合装置は、ヒートポンプと暖房端末の間に配置されていてよい。暖房熱媒混合装置は、ヒートポンプとの間で熱媒を循環させてよい。また、暖房熱媒混合装置は、暖房端末との間で熱媒を循環させてもよい。第１サーミスタは、暖房端末に送られる熱媒の温度を検出してよい。第２サーミスタは、ヒートポンプに送られる熱媒の温度を検出してよい。第３サーミスタは、暖房端末から排出される熱媒の温度を検出してよい。コントローラは、暖房端末に送られる熱媒の温度を制御してよい。コントローラは、ヒートポンプが最小加熱能力より高い加熱能力で運転しているときは、第１サーミスタの検出値が暖房設定温度になるように暖房端末に送られる熱媒の温度を制御し、第２サーミスタで検出された温度が所定値に達したときにヒートポンプの運転を停止してよい。また、コントローラは、ヒートポンプが最小加熱能力で運転しているときは、第１サーミスタの検出値が暖房設定温度に第１所定温度を加えた暖房補正温度になるように暖房端末に送られる熱媒の温度を制御し、第３サーミスタで検出される温度が第１サーミスタで検出された温度が暖房設定温度に達したときに第３サーミスタで検出された温度に第２所定温度を加えた温度に達したときにヒートポンプの運転を停止させてよい。
【００１１】
第１所定温度及び第２所定温度は、４〜８℃であってよい。第１所定温度及び第２所定温度がこの範囲であれば、ヒートポンプが頻繁に停止することを抑制しながら、暖房対象空間（例えば、住居の室内）の温度が設定温度を大きく超えることを防止することができる。特に好ましくは、第１所定温度及び第２所定温度は、同一の温度であり、５℃であってよい。
【００１２】
コントローラは、ヒートポンプの運転を停止した後、第１サーミスタで検出された温度が暖房設定温度から第３所定温度を減じた温度に達したときにヒートポンプを再始動してよい。すなわち、ヒートポンプが最小加熱能力で運転しているにも係らずヒートポンプを停止した後は、暖房端末に送られる熱媒の温度が暖房設定値より低下しても、ヒートポンプを再始動しない。これにより、ヒートポンプを再始動したときに、再度ヒートポンプが停止するまでの時間を長くすることができる。ヒートポンプの発停の回数をさらに抑制することができる。なお、第３所定温度は、第１所定温度及び／又は第２所定温度と同一であってよい。
【００１３】
コントローラは、ヒートポンプを再始動するに先立って、所定期間におけるヒートポンプの始動回数が所定回数に達しているか否かを判定し、所定期間におけるヒートポンプの始動回数が所定回数に達している場合はヒートポンプの再始動を禁止してよい。ヒートポンプの発停回数が所定回数を超えることを、確実に防止することができる。なお、この場合、熱媒の温度が低温側補正値まで低下したときに、可燃性ガスを燃焼させるタイプの熱源機を用いて熱媒を加熱してもよい。なお、本明細書で開示する暖房装置では、暖房用の熱媒として、水または不凍液を用いてよい。
【実施例】
【００１４】
（第１実施例）
本発明の実施例について、図面を参照しながら説明する。図１は、第１実施例の暖房システム１０を示している。図１に示すように、暖房システム１０は、ヒートポンプユニット２０と、暖房端末９０と、暖房熱媒混合装置２８と、暖房システム１０の動作を制御するコントローラ５４と、給湯暖房ユニット８０を備えている。暖房熱媒混合装置２８は、混水器３０，熱媒往路管３４，熱媒復路管３２，暖房用往路５６及び暖房用復路６０等を備えている。
【００１５】
ヒートポンプユニット２０は、大気から吸熱して熱媒を加熱するヒートポンプである。図示は省略するが、ヒートポンプユニット２０は、圧縮機、放熱器、膨張弁、蒸発器と、それらを順に接続する冷媒循環経路を備えている。その他に、蒸発器に送風するファンと、それを駆動するモータ等も設けられている。冷媒循環経路内には、冷媒である二酸化炭素が充填されている。ヒートポンプユニット２０の詳細については、公知のものと同じであるので、ここでは説明を省略する。また、ヒートポンプユニット２０には、ヒートポンプユニット２０と混水器３０との間で熱媒を循環させる循環ポンプ２２が設けられている。循環ポンプ２２を含むヒートポンプユニット２０の構成機器の動作は、コントローラ２１によって制御される。また、ヒートポンプユニット２０には、外気温度を検出する外気温サーミスタ２６が設けられている。外気温サーミスタ２６は、コントローラ２１に接続されている。コントローラ２１は、コントローラ５４に接続されている。コントローラ５４は、ヒートポンプユニット２０の始動回数をカウントするカウンタ（図示省略）を備えている。なお、暖房システム１０では、熱媒として不凍液が用いられている。
【００１６】
ヒートポンプユニット２０には、熱媒往路管３４と熱媒復路管３２が接続されている。熱媒往路管３４は、混水器３０からヒートポンプユニット２０へ熱媒を送る管路であり、混水器３０の底部に接続されている。熱媒復路管３２は、ヒートポンプユニット２０から混水器３０へ熱媒を戻す管路であり、混水器３０の頂部に接続されている。混水器３０の内径は、熱媒往路管３４及び熱媒復路管３２の内径より大きい。混水器３０の上部にサーミスタ４５ａが設けられており、混水器３０の中間部にサーミスタ４５ｂが設けられており、混水器３０の下部にサーミスタ４５ｃが設けられている。サーミスタ４５ａ，４５ｂ及び４５ｃによって検出された温度により、混水器３０に蓄積されている熱量を把握することができる。熱媒往路管３４と熱媒復路管３２は、ヒートポンプユニット２０と混水器３０との間で熱媒を循環させる循環経路を構成している。当該循環経路には、前述した循環ポンプ２２が設けられている。本実施例の循環ポンプ２２は、ヒートポンプユニット２０に内蔵されているが、循環ポンプ２２の位置は特に限定されない。
【００１７】
熱媒往路管３４には、手動弁２４と、往路サーミスタ４４が設けられている。同様に、熱媒復路管３２にも、手動弁２４と、復路サーミスタ４６が設けられている。往路サーミスタ４４と復路サーミスタ４６は、コントローラ５４に接続されている。コントローラ５４は、往路サーミスタ４４による検出温度から、ヒートポンプユニット２０による加熱前の熱媒の温度を把握し、復路サーミスタ４６による検出温度から、ヒートポンプユニット２０による加熱後の熱媒の温度を把握することができる。往路サーミスタ４４は、第２サーミスタの一例である。
【００１８】
暖房端末９０は、混水器３０からの熱媒を放熱させて暖房を行う。暖房端末９０は、例えば、パネルヒータ、パネルラジエータ、床暖房、ファンコンベクタ、温水式ルームエアコンである。暖房端末９０は、暖房用往路５６と暖房用復路６０を介して、混水器３０に接続されている。暖房用往路５６は、混水器３０から暖房端末９０へ熱媒を送る管路であり、混水器３０の頂部に接続されている。暖房用復路６０は、暖房端末９０から混水器３０へ熱媒を戻す管路であり、混水器３０の底部に接続されている。暖房用往路５６と暖房用復路６０は、混水器３０と暖房端末９０との間で熱媒を循環させる循環経路を構成している。
【００１９】
暖房用復路６０には、手動弁５２を有する排水管５０が接続されている。また、暖房用復路６０には、膨張タンク７０が設けられている。膨張タンク７０を設けることにより、熱媒の循環する密閉回路において、熱媒の熱膨張を吸収することができる。なお、膨張タンク７０を接続する位置は、暖房用復路６０に限定されず、例えば暖房用往路５６や他の経路に接続してもよい。
【００２０】
暖房用往路５６は、給湯暖房ユニット８０を経由して、暖房端末９０に接続されている。給湯暖房ユニット８０は、燃焼式の熱源機であり、可燃性ガスを燃焼させる二つのバーナ８４、８６を有する。一方のバーナ８４は、給湯用のものであり、給湯管路８２を流れる上水を加熱する。他方のバーナ８６は、暖房用のものであり、必要に応じて、暖房用往路５６を流れる熱媒を加熱する。また、給湯暖房ユニット８０は、コントローラ８８を有している。給湯暖房ユニット８０には、暖房端末９０と混水器３０との間で熱媒を循環させる循環ポンプ８７が設けられている。なお、循環ポンプ８７を設ける位置は、給湯暖房ユニット８０に限られず、特に限定されない。また、暖房用往路５６のバーナ８６より下流には、バーナ出口サーミスタ８９が設けられている。バーナ出口サーミスタ８９は、コントローラ８８に接続されている。なお、コントローラ８８は、コントローラ５４に接続されている。上記したように、コントローラ２１も、コントローラ５４に接続されている。コントローラ２１，８８の情報は、コントローラ５４に入力される。この構成によると、暖房用往路５６を通って暖房端末９０に送られる熱媒の温度が低すぎるときは、バーナ８６で暖房用往路５６を流れる熱媒を加熱することにより、暖房端末９０に送られる熱媒の温度を上昇させることができる。
【００２１】
暖房用往路５６と暖房用復路６０の間は、バイパス経路６４を介して接続されている。それにより、暖房用復路６０を流れる熱媒の一部または全部を、混水器３０を経由することなく、暖房用往路５６へ送ることができるように構成されている。また、暖房用復路６０とバイパス経路６４との分岐位置には混合弁６６が設けられており、暖房用復路６０からバイパス経路６４を介して暖房用往路５６へ送られる熱媒の流量と、暖房用復路６０から混水器３０，暖房用往路５６へ送られる熱媒の流量の比率を調整できるようになっている。混合弁６６は、コントローラ５４に接続されており、その動作はコントローラ５４によって制御される。この構成によると、暖房用往路５６を通って暖房端末９０に送られる熱媒の温度が高すぎるときは、暖房用復路６０を流れる放熱後の熱媒を、暖房用往路５６を流れる熱媒に合流させることによって、暖房端末９０に送られる熱媒の温度を低下させることができる。
【００２２】
暖房用往路５６には、第１暖房往路サーミスタ４８、第２暖房往路サーミスタ５８が設けられている。第１暖房往路サーミスタ４８は、バイパス経路６４が暖房用往路５６に合流する合流点よりも上流側に設けられており、混水器３０から暖房用往路５６に送られる熱媒の温度を検出する。第２暖房往路サーミスタ５８は、バイパス経路６４が暖房用往路５６に合流する合流点よりも下流側に設けられており、混水器３０から暖房用往路５６に送られる熱媒とバイパス経路６４から暖房用往路５６に送られる熱媒が混合した後の温度を検出する。暖房用復路６０には、暖房復路サーミスタ６２が設けられている。暖房復路サーミスタ６２は、暖房用復路６０を流れる熱媒の温度を検出する。第１暖房往路サーミスタ４８、第２暖房往路サーミスタ５８及び暖房復路サーミスタ６２は、コントローラ５４に接続されている。コントローラ５４は、第１暖房往路サーミスタ４８、第２暖房往路サーミスタ５８及び暖房復路サーミスタ６２の検出温度に基づいて、混合弁６６の動作を制御することで、暖房端末９０に送られる熱媒の温度を所望の温度に調整することができる。暖房復路サーミスタ６２は、第３サーミスタの一例である。
【００２３】
コントローラ８８は、暖房端末９０における暖房熱量を算出することができる。暖房端末９０における暖房熱量は、例えば、暖房復路サーミスタ６２の検出温度と、バーナ出口サーミスタ８９の検出温度と、循環ポンプ８７の回転数を用いて計算することができる。あるいは、暖房端末９０における暖房熱量は、近似的に、往路サーミスタ４４の検出温度と、復路サーミスタ４６の検出温度と、循環ポンプ２２の回転数を用いて計算することができる。バーナ出口サーミスタ８９（又は、第２暖房往路サーミスタ５８）は、第１サーミスタの一例である。
【００２４】
図２は、暖房端末９０の要求する熱媒の温度に対して、混水器３０から暖房用往路５６に送られる熱媒の温度が高い場合の熱媒の流れを示している。この場合には、混合弁６６を制御して、暖房用復路６０からバイパス経路６４を介して暖房用往路５６へ送られる熱媒の流量を増加させ、暖房用復路６０から混水器３０を介して暖房用往路５６へ送られる熱媒の流量を減少させる。これにより、暖房用往路５６から暖房端末９０へ送られる熱媒の温度を、暖房端末９０の要求する熱媒の温度に調整することができる。暖房端末９０の要求する熱媒の温度が低下した場合でも、ヒートポンプユニット２０の加熱能力を変化させることなく、バイパス経路６４を通過する熱媒の流量を調整させ、暖房端末９０における要求の変化に速やかに対応することができる。
【００２５】
図３は、暖房端末９０の要求する熱媒の温度に対して、混水器３０から暖房用往路５６に送られる熱媒の温度が低い場合の熱媒の流れを示している。この場合には、バーナ８６で暖房用往路５６を流れる熱媒を加熱する。バーナ８６における加熱量を調整することで、暖房用往路５６から暖房端末９０へ送られる熱媒の温度を、暖房端末９０の要求する熱媒の温度に速やかに調整することができる。暖房端末９０の要求する熱媒の温度が上昇した場合でも、ヒートポンプユニット２０の加熱能力を変化させることなく、バーナ８６をオン・オフさせ、暖房端末９０における要求の変化に速やかに対応することができる。
【００２６】
本実施例の暖房システム１０では、暖房端末９０の暖房運転を開始したときに、混水器３０から排出される熱媒の温度（往路サーミスタ４４の検出値）が暖房設定温度（例えば５５℃）以下である場合に、ヒートポンプユニット２０を始動する。また、暖房システム１０では、往路サーミスタ４４の検出温度に応じて、コントローラ２１がヒートポンプユニット２０の停止及び再始動を制御する。
【００２７】
図４を参照し、ヒートポンプユニット２０を始動させた後の暖房システム１０の動作について説明する。暖房システム１０では、ヒートポンプユニット２０の運転を開始した後、ヒートポンプユニット２０が最小加熱能力で運転しているか否かを判定する（ステップＳ４）。ヒートポンプユニット２０が最小加熱能力よりも高い加熱能力で運転している場合（Ｓ４：ＮＯ）、ヒートポンプユニット２０の運転を継続する。このときに、ヒートポンプユニット２０の加熱能力を変化させたり、バイパス経路６４を介して暖房用往路５６へ送られる熱媒の流量を変化させたり、バーナ８６を用いる等の調整を行い、バーナ出口サーミスタ８９（又は、第２暖房往路サーミスタ５８）で検出される熱媒の温度が暖房設定温度（例えば５５℃）を維持するように調整する。なお、ヒートポンプ２０が最小加熱能力より高い加熱能力で運転しているときは、往路サーミスタ４４で検出された温度が所定値（例えば７０℃）に達したときにヒートポンプ２０の運転を停止する。
【００２８】
ヒートポンプユニット２０が最小加熱能力で運転している場合（Ｓ４：ＹＥＳ）、バーナ出口サーミスタ８９（又は、第２暖房往路サーミスタ５８）の検出温度が５５℃（暖房設定値）に達したときに、暖房復路サーミスタ６２の検出値に補正値（第１所定温度：例えば５℃）を加えた高温側補正値を設定し、ヒートポンプユニット２０の運転を継続する（ステップＳ８、Ｓ１０）。高温側補正値を設定した後は、バーナ出口サーミスタ８９（又は、第２暖房往路サーミスタ５８）の検出温度が高温側補正値になるように調整する。これにより、混水器３０が蓄熱している熱量が、高温側補正値を設定する前と比較してより多く消費される。そのため、ヒートポンプユニット２０を運転（熱媒を加熱）することにより、混水器３０内の熱媒の温度が上昇するスピードを遅くすることができる。その結果、バーナ出口サーミスタ８９（又は、第２暖房往路サーミスタ５８）の検出温度が暖房設定値になるように調整する場合と比較して、ヒートポンプ２０を停止する時間を遅くすることができる。
【００２９】
ステップＳ１２では、暖房端末９０から排出される熱媒の温度（暖房復路サーミスタ６２の検出値）が所定温度に達しているか否かを判定する。この所定温度は、バーナ出口サーミスタ８９（又は、第２暖房往路サーミスタ５８）の検出温度が５５℃（暖房設定値）に達したときの暖房復路サーミスタ６２の検出値に、第２所定温度（例えば５℃）を加えた温度である。例えば、バーナ出口サーミスタ８９（又は、第２暖房往路サーミスタ５８）の検出温度が５５℃に達したときの暖房復路サーミスタ６２の検出値が４０℃の場合、上記所定温度は４５℃であり、４２℃の場合４７℃である。
【００３０】
暖房復路サーミスタ６２の検出温度が所定温度に達してしない場合（Ｓ１２：ＮＯ）、ステップＳ１２の判定を繰り返す。ステップＳ１２の条件を満足している場合（Ｓ１２：ＹＥＳ）、ヒートポンプユニット２０の運転を停止する（ステップＳ１４）。ヒートポンプユニット２０の運転を停止した後、暖房設定値から第３所定値（例えば５℃）減じた低温側補正値（５０℃）を設定する（ステップＳ１６）。低温側補正値は、ヒートポンプユニット２０を再始動するための温度として用いられる。なお、ヒートポンプユニット２０の運転を停止した後は、低温側補正値に達するまでの間、混水器３０から暖房用往路５６へ送られる熱媒の流量，バイパス経路６４を介して暖房用往路５６へ送られる熱媒の流量等を調節し、バーナ出口サーミスタ８９（又は、第２暖房往路サーミスタ５８）で検出される熱媒の温度を調整する。
【００３１】
ステップＳ１８では、熱媒の温度が第１低温側補正値又は第２低温側補正値まで低下しているか否かを判定する。熱媒の温度が第１低温側補正値又は第２低温側補正値のいずれにも達していない場合（Ｓ１８：ＮＯ）、ステップＳ１８の判定を繰り返す。すなわち、バーナ出口サーミスタ８９（又は、第２暖房往路サーミスタ５８）の検出温度が５０℃より高い場合、ヒートポンプユニット２０を停止させたままとする。バーナ出口サーミスタ８９（又は、第２暖房往路サーミスタ５８）の検出温度が低温側補正値まで低下している場合（Ｓ１８：ＹＥＳ）、所定期間（例えば１日）におけるヒートポンプユニット２０の始動回数が、所定回数（例えば１０回）に達したか否かを判定する（ステップＳ２０）。ヒートポンプユニット２０の始動回数が所定回数に達していない場合（Ｓ２０：ＹＥＳ）、ヒートポンプユニット２０を始動する（ステップＳ２２）。その後、ステップＳ２４に移行し、ヒートポンプユニット２０の始動回数を記憶する。具体的には、コントローラ２１に記憶されている所定期間内のヒートポンプユニット２０の始動回数に「１」を加える（ステップＳ２４）。
【００３２】
ステップＳ３０では、暖房運転の終了操作が実行されているか否かを判定する。暖房運転の終了操作が実行されている場合（Ｓ３０：ＹＥＳ）、ヒートポンプユニット２０の運転を停止する（ステップＳ３２）。暖房運転の終了操作が実行されていない場合（Ｓ３０：ＮＯ）、ステップＳ４に戻り図４の動作を繰り返す。
【００３３】
なお、ヒートポンプユニット２０の始動回数が所定回数に達している場合（Ｓ２０：ＮＯ）、ヒートポンプユニット２０の始動を禁止し（ステップＳ２６）、バーナ８６を用いて熱媒を加熱する（ステップＳ２８：図３も参照）。
【００３４】
本実施例の暖房システム１０では、ヒートポンプユニット２０が最小加熱能力で運転しているにも係らず暖房端末９０に送られる熱媒の温度が暖房設定温度に達した場合は、即座にヒートポンプユニット２０を停止しないで、暖房端末９０に送られる熱媒の温度が暖房設定温度よりも高温の暖房補正温度（高温側補正値）になるように調整する。また、ヒートポンプユニット２０を停止した後は、暖房端末９０に送られる熱媒の温度が暖房設定温度より低い低温側補正値に低下するまでヒートポンプユニット２０を始動しない。すなわち、本実施例の暖房システム１０は、暖房端末９０に送られる熱媒の温度が高温側補正値になるように調整することでヒートポンプユニット２０が停止するタイミングを遅らせ、ヒートポンプユニット２０の停止後は、暖房端末９０に送られる熱媒の温度が低温側補正値になるまでヒートポンプユニット２０を再始動しないことでヒートポンプユニット２０が始動するタイミングを遅らせる。その結果、ヒートポンプユニットの発停（始動と停止）を低減することができる。
【００３５】
また、本実施例の暖房システム１０は、ヒートポンプユニット２０を始動する温度条件と、ヒートポンプユニット２０を停止する温度条件の間に幅を持たせることにより、蓄熱槽（高温の熱媒を蓄えるタンク等）を省略することができる。コンパクトな暖房システムを実現することができる。但し、本明細書で開示する技術は、高温の熱媒を蓄えるタンク等を設けることを禁止するものではなく、必要に応じてタンクを設けてもよい。
【００３６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数の目的を同時に達成するものであり、そのうちの一つの目的を達成すること自体で技術的有用性を持つものである。
【符号の説明】
【００３７】
１０：暖房装置（暖房システム）
２０：ヒートポンプ（ヒートポンプユニット）
２８：暖房熱媒混合装置
４４：第２サーミスタ
５４：コントローラ
５８：第１サーミスタ
６２：第３サーミスタ
８９：第１サーミスタ
９０：暖房端末
【図１】
2016114294.tif 000003
【図２】
2016114294.tif 000004
【図３】
2016114294.tif 000005
【図４】
2016114294.tif 000006